【手続補正書】
【提出日】平成19年2月27日(2007.2.27)
【手続補正１】
【補正対象書類名】明細書
【補正対象項目名】特許請求の範囲
【補正方法】変更
【補正の内容】
【特許請求の範囲】
【請求項１】
物理インターフェースの設置を受容する略平面状の操作面と該操作面上に情報を表示する表示機能を備えた視覚的インターフェースと、
前記操作面に設置された物理インターフェースを識別する識別手段と、
前記識別手段による識別結果に応じた情報処理を実行するとともに処理結果を視覚的インターフェース上に表示出力する情報処理手段と、
を具備することを特徴とする情報入出力システム。
【請求項２】
前記物理インターフェースは、略平坦な透明構造体で構成され、前記透明構造体の裏面側における表示情報を表面側に透過可能な透明領域と、裏面又は表面の一部に配設されて物理インターフェースの属性情報を表示する属性情報表示領域と、前記透明構造体に埋設されて固有の識別情報を担持する識別情報格納手段とを含むことを特徴とする請求項１に記載の情報入出力システム。
【請求項３】
前記識別手段は電磁授受方式により物理インターフェースの固有情報を識別することを特徴とする請求項１に記載の情報入出力システム。
【請求項４】
前記視覚的インターフェースの操作面上並びに該操作面上に設置された物理インターフェースを介したペン入力を読み取るデジタイザをさらに備えることを特徴とする請求項１に記載の情報入出力システム。
【請求項５】
前記視覚的インターフェースの操作面上並びに該操作面上に設置された物理インターフェースを介したペン入力を読み取るデジタイザをさらに備え、
前記情報処理手段は、該操作面上に設置された物理インターフェースが持つ識別情報と該物理インターフェースに印加されたペン操作の組み合わせに応じた情報処理を実行する、
ことを特徴とする請求項１に記載の情報入出力システム。
【請求項６】
前記視覚的インターフェースの操作面上には複数の物理インターフェースを設置可能であり、
前記情報処理手段は、該操作面上に設置された２以上の物理インターフェースが持つ識別情報の組み合わせに応じた情報処理を実行する、
ことを特徴とする請求項１に記載の情報入出力システム。
【請求項７】
前記視覚的インターフェースの操作面上並びに該操作面上に設置された物理インターフェースを介したペン入力を読み取るデジタイザをさらに備え、
前記視覚的インターフェースの操作面上には複数の物理インターフェースを設置可能であり、
前記情報処理手段は、該操作面上に設置された２以上の物理インターフェースが持つ識別情報と該物理インターフェースに印加されたペン操作の組み合わせに応じた情報処理を実行する、
ことを特徴とする請求項１に記載の情報入出力システム。
【請求項８】
前記情報処理手段は、前記視覚的インターフェースの操作面上に設置された物理インターフェースから所定の識別情報が検出されたことに応答して、該識別情報に割り付けられた処理を実行するとともに、処理結果を該物理インターフェースが設置された位置に表示出力する、
ことを特徴とする請求項１に記載の情報入出力システム。
【請求項９】
前記情報処理手段は、前記視覚的インターフェースの操作面上に設置された物理インターフェースから所定の識別情報が検出されたことに応答して、該識別情報に割り付けられたアプリケーションを実行するとともに、該アプリケーションの実行結果を該物理インターフェースが設置された位置に表示出力する、
ことを特徴とする請求項１に記載の情報入出力システム。
【請求項１０】
外部の情報資源にアクセスするための通信手段をさらに含み、
前記情報処理手段は、前記視覚的インターフェースの操作面上に設置された物理インターフェースから所定の識別情報が検出されたことに応答して、該識別情報に割り付けられた情報資源へのアクセスを実行するとともに、取得した情報を該物理インターフェースが設置された位置に表示出力する、
ことを特徴とする請求項１に記載の情報入出力システム。
【請求項１１】
前記情報処理手段は、前記視覚的インターフェースの操作面上に設置された物理インターフェースから所定の識別情報が検出されたことに応答して、該識別情報に割り付けられた実世界上の物理オブジェクトへの接続を実行するとともに、該物理オブジェクトに関する情報を該物理インターフェースが設置された位置に表示出力する、
ことを特徴とする請求項１に記載の情報入出力システム。
【請求項１２】
前記情報処理手段は、前記視覚的インターフェースの操作面上に設置された物理インターフェースから所定の識別情報が検出されたことに応答して、該物理インターフェースに隣接配置された他の物理インターフェースが担持する情報を該物理インターフェースに割り付けるとともに、該割り付けられた情報を該物理インターフェースが設置された位置に表示出力する、
ことを特徴とする請求項１に記載の情報入出力システム。
【請求項１３】
前記情報処理手段は、前記視覚的インターフェースの操作面上に設置された物理インターフェースから所定の識別情報が検出されたことに応答して、該物理インターフェースに隣接配置された他の物理インターフェースが担持する情報を該物理インターフェースに関連付けられた遠隔の物理インターフェースに割り付けるとともに、該割り付けられた情報を該遠隔の物理インターフェースが設置された位置に表示出力する、
ことを特徴とする請求項１に記載の情報入出力システム。
【請求項１４】
前記視覚的インターフェースの操作面上並びに該操作面上に設置された物理インターフェースを介したペン入力を読み取るデジタイザをさらに備え、
前記情報処理手段は、該操作面上に隣接して設置された２以上の物理インターフェースにまたがるペン操作が印加されたことに応答して、一方の物理インターフェースに格納された情報を他方の物理インターフェースに割り付ける、
ことを特徴とする請求項１に記載の情報入出力システム。
【請求項１５】
前記視覚的インターフェースの操作面上並びに該操作面上に設置された物理インターフェースを介したペン入力を読み取るデジタイザをさらに備え、
前記情報処理手段は、該操作面上に隣接して設置された２以上の物理インターフェースにまたがるペン操作が印加されたことに応答して、一方の物理インターフェースに格納された情報を他方の物理インターフェースに割り付けるとともに、該割り付けられた情報を該他方の物理インターフェースが設置された位置に表示出力する、
ことを特徴とする請求項１に記載の情報入出力システム。
【請求項１６】
物理インターフェースの設置を受容する略平面状の操作面と該操作面上に情報を表示する表示機能を備えた視覚的インターフェース上における物理インターフェースの操作を介した対話技法を提供する情報入出力方法であって、
前記操作面に設置された物理インターフェースを識別する識別ステップと、
前記識別ステップによる識別結果に応じた情報処理を実行するとともに処理結果を視覚的インターフェース上に表示出力する情報処理ステップと、
を具備することを特徴とする情報入出力方法。
【請求項１７】
物理インターフェースの設置を受容する略平面状の操作面と該操作面上に情報を表示する表示機能を備えた視覚的インターフェース上における物理インターフェースの操作を介した対話技法を提供する情報入出力処理をコンピュータ上で実行するように記述されたコンピュータ・ソフトウェアをコンピュータ可読形式で物理的に格納した記憶媒体であって、前記コンピュータ・ソフトウェアは前記コンピュータに対し、
前記操作面に設置された物理インターフェースを識別する識別手順と、
前記識別手順を実行して得られた識別結果に応じた情報処理を実行するとともに処理結果を視覚的インターフェース上に表示出力する情報処理手順と、
を実行させることを特徴とする記憶媒体。